(57)【要約】      （修正有）【課題】良好なラッチ係合効果を有する電気コネクタアセンブリの提供。【解決手段】コネクタ取付空間及び嵌合開口部を有する取付フレーム１０と、取付フレーム１０を被覆して、取付フレーム１０とラッチ係合し、取付フレーム１０を除覆することができ、硬質材料で作製された外側カバー及び軟質材料で作製された内側カバーを備えた保護カバー２０であって、外側カバーの内面が、内側カバーの外面に係合し、保護カバー２０が、ストラップを更に備え、ストラップは、保護カバー２０が開放位置と閉止位置との間で移動することを可能にするように取付フレーム１０に連結する、保護カバー２０と、コネクタ嵌合部を有する少なくとも１つのコネクタ３０，４０であって、コネクタ３０，４０が、コネクタ取付空間内に受容及び固定され、コネクタ嵌合部が、嵌合開口部を介して露出している、コネクタ３０，４０と、を備えている、電気コネクタアセンブリ１。【選択図】図２
2018022686.tif 000002
【特許請求の範囲】
【請求項１】
コネクタ取付空間及び少なくとも１つの嵌合開口部を有する取付フレームと、
該取付フレームを被覆して、該取付フレームとラッチ係合すること、及び前記取付フレームを除覆することができる保護カバーであって、該保護カバーが、ストラップを備え、該ストラップは、前記保護カバーが開放位置と閉止位置との間で移動することを可能にするように前記取付フレームに連結し、前記開放位置は、前記保護カバーが前記取付フレームを除覆する位置であり、前記閉止位置は、前記保護カバーが前記取付フレームを被覆して、該取付フレームとラッチ係合する位置である、保護カバーと、
コネクタ嵌合部を有する少なくとも１つのコネクタであって、該コネクタが、前記コネクタ取付空間内に受容及び固定され、前記コネクタ嵌合部が、前記嵌合開口部を介して露出している、コネクタと、を備えている、電気コネクタアセンブリ。
【請求項２】
前記保護カバーが、互いに係合する外側カバー及び内側カバーを備え、前記外側カバーが、硬質な材料により形成され、前記内側カバーが、軟質な材料により形成されている、請求項１に記載の電気コネクタアセンブリ。
【請求項３】
前記取付フレームが、該取付フレームの内側及び外側を連通させる貫通孔と、前記取付フレームの内側に位置付けられた連結ブロックとを更に有し、前記ストラップが、細長いレール溝を有し、前記ストラップが、前記貫通孔を貫通し、前記レール溝によって前記連結ブロックを被包し、該連結ブロックが、前記レール溝に対して移動することができる、請求項２に記載の電気コネクタアセンブリ。
【請求項４】
前記内側カバーが、ラッチ突起を更に有し、前記取付フレームが、ラッチ溝を更に有し、前記ラッチ突起の数が、前記ラッチ溝の数と同じであり、前記ラッチ突起の位置が、前記ラッチ溝の位置に対応し、前記保護カバーと前記取付フレームとの間のラッチ係合は、前記ラッチ突起が前記ラッチ溝にラッチ係合することにより達成される、請求項２に記載の電気コネクタアセンブリ。
【請求項５】
前記ストラップ及び前記ラッチ突起が、前記内側カバー上に一体成形されている、請求項４に記載の電気コネクタアセンブリ。
【請求項６】
前記内側カバーが、前記嵌合開口部に対応する突出ブロックを有し、前記保護カバーが閉止位置にあるとき、前記突出ブロックが、前記嵌合開口部内へと延在する、請求項２に記載の電気コネクタアセンブリ。
【請求項７】
前記外側カバーの内面の一端が、凹部を有し、該凹部の側部が、外側に露出している、請求項２に記載の電気コネクタアセンブリ。
【請求項８】
前記保護カバーが開放位置にあるとき、前記レール溝が、前記取付フレームの外側に露出しない、請求項３に記載の電気コネクタアセンブリ。
【請求項９】
前記外側カバーの外面に、前記コネクタの種類を表示するマークが形成されている、請求項２に記載の電気コネクタアセンブリ。
【請求項１０】
前記外側カバーを形成する材料が、ＰＣ、ＡＢＳ、又はＰＢＴである、請求項２に記載の電気コネクタアセンブリ。
【請求項１１】
前記内側カバーを形成する材料が、ＴＰＥ又はゴムである、請求項２に記載の電気コネクタアセンブリ。
【発明の詳細な説明】
【技術分野】
【０００１】
本開示は、電気コネクタアセンブリに関し、特に、保護カバーを有する電気コネクタアセンブリに関する。
【背景技術】
【０００２】
様々なコネクタインターフェース（ＵＳＢ（ユニバーサルシリアルバス）インターフェース、ＡＵＸインターフェース（音声入力インターフェース）、ＳＤカード（セキュアデジタルカード）インターフェース、ＨＤＭＩインターフェース（高解像度マルチメディアインターフェース）等）が電子デバイス（デスクトップ型コンピュータ、ノートパソコン、携帯電話等）上にしばしば設けられていることが一般に知られている。これらのインターフェースが使用される際にこれらのインターフェースは外部コネクタに連結する必要があるため、これらのインターフェースが使用されるとき、これらのインターフェースを電子デバイスのケースにより被覆することはできない。防塵、インターフェースの保護及び美しい外観のニーズのため、これらのインターフェースが使用されないとき、保護カバーを使用してこれらのインターフェースを被覆することができる。これらの保護カバーは、これらのインターフェースを使用する必要があるとき外部コネクタとこれらのインターフェースとの連結を妨害しないように、着脱可能であるように設計されている。
【０００３】
しかしながら、コネクタインターフェースは頻繁に使用する必要があるので、それに応じて、これらの保護カバーは、頻繁に被覆及び除覆する必要がある。したがって、これらの保護カバーは、コネクタインターフェースが使用されないときオペレータが保護カバーを被覆するのを忘れるためにしばしば紛失する。
【０００４】
上記の問題を解決するために、保護カバーが中国特許出願第２００７１０２０２５７２．８号に開示されている。図１に示すように、保護カバー３２は、プラスチック又は軟質ゴムで作製され、一体成形技法（例えば、射出成形）により形成される。ケースの底部プレート６０の内面６８は、固定ロッド６４を備え、固定ロッド６４は、固定端６４２及び自由端６４４を備え、Ｔ字形状を実質的に形成する。保護カバー３２の取付部３４は、ケースの底部プレート６０の貫通孔６２０を貫通し、保護カバー３２が固定ロッド６４に対して摺動することができるように摺動溝３４２に固定ロッド６４の固定端６４２を被包させる。保護カバー３２が引き出されるとき、摺動溝３４２は、固定ロッド６４に対して移動し、固定ロッド６４が摺動溝３４２の最下端に接触すると、固定ロッド６４は、保護カバー３２が更に引き出されるのを防止する。
【０００５】
しかしながら、上記の開示内容から分かるように、固定ロッド６４は、ケースの底部プレート６０上に設けられる必要があり、取付部３４の通過及び被包のための貫通孔６２０も、ケースの底部プレート６０上に設けられる必要があり、これらは全て、ケース上に追加される付加的構造である。これらの付加的構造は、ケースの組み立ての複雑性及び製造難易度を高める。更に、保護カバー３２の１つの選択肢は、硬質プラスチックで作製され、別の選択肢は、軟質ゴムで作製され、これらの両方は、例えば、保護カバーを開閉する操作が容易ではない、又は感触が悪い、又は外観が美しくない等、それらに特有の短所を有する。
【発明の概要】
【課題を解決するための手段】
【０００６】
上記の問題のうちの少なくとも１つを解決するために、本開示の１つの目的は、良好なラッチ係合効果を有する電気コネクタアセンブリを提供することである。
【０００７】
この目的及び他の利点を達成するために、本明細書で具体的に具現化され、広範に記載されている本開示の目的に従って、電気コネクタアセンブリは、コネクタ取付空間及び少なくとも１つの開口部を有する取付フレームと、取付フレームを被覆して、取付フレームとラッチ係合すること、及び取付フレームを除覆することができ、硬質材料で作製された外側カバー及び軟質材料で作製された内側カバーを備えた保護カバーであって、外側カバーの内面が、内側カバーの外面に係合し、保護カバーが、ストラップを更に備え、ストラップは、保護カバーが取付フレームを除覆する開放位置と保護カバーが取付フレームを被覆して、取付フレームとラッチ係合する閉止位置との間で保護カバーが移動することを可能にするように取付フレームに連結する、保護カバーと、コネクタ嵌合部を有する少なくとも１つのコネクタであって、コネクタが、コネクタ取付空間内に受容及び固定され、コネクタ嵌合部が、嵌合開口部を介して露出している、コネクタと、を備えている。
【０００８】
ある実施形態では、取付フレームは、取付フレームの内側及び外側を連通させる貫通孔と、取付フレームの内側に位置付けられた連結ブロックとを更に有する。ストラップは、細長いレール溝を有し、ストラップは、貫通孔を貫通し、レール溝によって連結ブロックを被包する。連結ブロックは、レール溝に対して移動することができる。
【０００９】
ある実施形態では、内側カバーは、ラッチ突起を更に有し、取付フレームは、ラッチ溝を更に有し、ラッチ突起の数は、ラッチ溝の数と同じであり、ラッチ突起の位置は、ラッチ溝の位置に対応し、保護カバーと取付フレームとの間のラッチ係合は、ラッチ突起がラッチ溝にラッチ係合することにより達成される。
【００１０】
ある実施形態では、ストラップ及びラッチ突起は、内側カバー上に一体成形されている。
【００１１】
ある実施形態では、内側カバーは、開口部に対応する突出ブロックを有し、保護カバーが閉止位置にあるとき、突出ブロックは、開口部内へと延在し、コネクタ嵌合部と係合する。
【００１２】
ある実施形態では、外側カバーの内面の一端が、凹部を有し、凹部の側部が、外側に露出している。
【００１３】
ある実施形態では、保護カバーが開放位置にあるとき、レール溝は、取付フレームの外側に露出しない。
【００１４】
ある実施形態では、外側カバーの外面に、コネクタの種類を表示するマークが形成されている。
【００１５】
ある実施形態では、外側カバーを形成する材料は、ＰＣ、ＡＢＳ、又はＰＢＴである。
【００１６】
ある実施形態では、内側カバーを形成する材料は、ＴＰＥ又はゴムである。
【００１７】
ある実施形態では、該少なくとも１つのコネクタは、第１のコネクタ及び第２のコネクタを備え、外側カバーは、互いに独立している第１のカバー部及び第２のカバー部を備え、第１のカバー部及び第２のカバー部は、保護カバーが閉止位置にあるとき、それぞれ第１のコネクタのコネクタ嵌合部及び第２のコネクタのコネクタ嵌合部を被覆し、内側カバーが第１のカバー部と係合する内側カバーの領域及び内側カバーが第２のカバーと係合する内側カバーの領域に、それぞれラッチ突起が設けられている。
【００１８】
本開示では、コネクタアセンブリの保護カバーは、取付フレーム上に直接取り付けることができ、上にコネクタアセンブリが取り付けられる電子デバイスのケース上に設けられる必要はなく、上にコネクタアセンブリが取り付けられる電子デバイスのケースは、孔を開けることのみを必要とするので、ケースの構造及び製造難易度が大いに低減される。コネクタアセンブリの保護カバーは、外側カバーと内側カバーの２つの部品に分けられる。外側カバーは、より硬質な材料を使用し、内側カバーは、より軟質な材料を使用する。保護カバーを被覆し、保護カバーをラッチ係合する、及び保護カバーをこじあけるとき、オペレータの指は、保護カバーに力を加えるのに便利なより硬質な外側カバーに直接接触し、押圧及びこじあけ作業の感触は、良好である。保護カバーが容易に取付フレームを被覆して、取付フレームとラッチ係合すること、及び取付フレームを除覆することができるように、取付フレームに接触する内側カバーは、より軟質であり、容易に変形する。それに加えて、より硬質な外側カバーは、美しい外観及び形状を形成するためにも便利である。
【図面の簡単な説明】
【００１９】
本開示の構造及び動作の構成及び様式、並びにその更なる目的及び利点は、添付の図面に関連して以下の詳細な説明を参照することにより、最もよく理解することができる。添付の図面において、類似の符号は、類似の要素を特定している。
【００２０】
【図１】先行技術における電気コネクタ用の保護カバー及びケースの底部プレートの一部分の斜視図である。
【図２】組み立てられた後の本開示の電気コネクタアセンブリの頂部斜視図である。
【図３】組み立てられた後の本開示の電気コネクタアセンブリの底部斜視図である。
【図４】保護カバーが取付フレームから分離されている、本開示の電気コネクタアセンブリの分解斜視図である。
【図５】保護カバー、取付フレーム、及びコネクタが互いから分離されている、本開示の電気コネクタアセンブリの分解斜視図である。
【図６】本開示の電気コネクタアセンブリの取付フレームの底部斜視図である。
【図６Ａ】図６の区域Ａの部分拡大図である。
【図６Ｂ】図６の区域Ｂの部分拡大図である。
【図７】本開示の電気コネクタアセンブリの保護カバーの分解斜視図である。
【符号の説明】
【００２１】
符号は、以下のように表されている。
【００２２】
１    電気コネクタアセンブリ
１０    取付フレーム
１１０    嵌合部
１２０    コネクタ受容部
１３０    取付部
１１１０    ラッチ溝
１１１２    突条部
１１２２    第１の嵌合開口部
１１２４    第２の嵌合開口部
１１３０    貫通孔
１２１０    コネクタ取付空間
１２２０    連結ブロック
１２２２    ネック部
１２２４    肥大ヘッド部
１２３０    ラッチ孔
２０    保護カバー
２１０    外側カバー
２２０    内側カバー
２１１０    凹部
２１２０    リブ部
２１４０    収容用空洞
２２１０    ストラップ
２２３０    ラッチ突起
２２４０    内側カバー本体部
２２１２    ストラップ本体部
２２１４    レール溝
２２２２    第１の突出ブロック
２２２４    第２の突出ブロック
３０    第１のコネクタ
４０    第２のコネクタ
３１０、４１０    コネクタ嵌合部
３２０、４２０    コネクタ主要部
３３０、４３０    ケーブル
３２２、４２２    コネクタラッチ
【発明を実施するための形態】
【００２３】
本開示は、異なる形態で具現化することが可能であるものの、本明細書は、本開示の原理の例示とみなされるべきであり、本開示を本明細書に示す図面に限定することを意図しないという理解の下、特定の実施形態が、図面に示され、本明細書に詳細に記載される。
【００２４】
同様に、特徴又は態様に対する言及は、本開示のある実施例の特徴又は態様を記載することを意図したものであり、本開示のあらゆる実施形態が記載された特徴又は態様を有さなければならないことを含意することを意図したものではない。更に、記載はいくつかの特徴を例示していることに留意するべきである。特定の特徴を組み合わせて潜在的なシステム設計が例示されてきたが、それらの特徴は、明示的に開示されていない他の組み合わせにおいても使用することができる。したがって、描かれている組み合わせは、特に指示がない限り、限定的であることを意図しない。
【００２５】
図面に例示されている実施形態において、本開示の様々な要素の構造及び移動を説明するために使用される上下左右、前後等の方向の表示は、絶対的ではなく、相対的である。これらの表示は、要素が図面に示されている位置にあるとき、適切である。しかしながら、要素の位置の説明が変化する場合、これらの表示はそれに応じて変更されるべきである。
【００２６】
図２を参照すると、図２は、組み立てられた後の本開示の電気コネクタアセンブリの頂部斜視図を示す。本開示の電気コネクタアセンブリ１は、電気コネクタアセンブリ１を形成するように互いに組み合わせ、互いに固定することができる取付フレーム１０、保護カバー２０、第１のコネクタ３０、及び第２のコネクタ４０を備えている。他の実施形態では、電気コネクタアセンブリ１は、第１のコネクタ３０及び第２のコネクタ４０のうちの一方のみを備えてもよく、又は第１のコネクタ３０及び第２のコネクタ４０に加えて他のコネクタを備えてもよい。
【００２７】
図３〜５を参照すると、取付フレーム１０は、嵌合部１１０、コネクタ受容部１２０、及び取付部１３０を有する。保護カバー２０は、取付フレーム１０上に保持されるように、取付フレーム１０の嵌合部１１０を被覆して、取付フレーム１０の嵌合部１１０とラッチ係合することができる。第１のコネクタ３０及び第２のコネクタ４０は、取付フレーム１０のコネクタ受容部１２０内に受容し、固定することができる。電気コネクタアセンブリ１の全体を電子デバイス上に固定することができ、電気コネクタアセンブリ１は、電子デバイス上に取付部１３０を介して取り付けられる必要がある。例えば、単純に電子デバイスのケース上に開口部を開けることができ、電気コネクタアセンブリ１は、取付部１３０を介して開口部に取り付けられる。取付部１３０は、ラッチになり、電子デバイスのケース上の開口部に固定されるように、図に示されるラッチアームの形状で形成することができる。しかしながら、ラッチアームの形状は、単なる例であり、電気コネクタアセンブリ１は、対応する電子デバイス上に任意の好適な方法で取り付けることができる。この実施形態では、取付部１３０は、数が２つとして設けられている（取付部１３０のうちの一方のみが図３〜図５に示されており、他方は、図示されている取付部１３０の反対側の電気コネクタアセンブリ１の側部上にある）。しかしながら、取付部１３０はまた、１つ、４つ、６つ等の他の数量として設けることもできる。
【００２８】
図５〜６Ｂを参照すると、取付フレーム１０の嵌合部１１０は、ラッチ溝１１１０、嵌合開口部１１２２、１１２４、及び貫通孔１１３０を備えた、略長方形のプレート構造体である。ラッチ溝１１１０は、嵌合部１１０の側縁部上に形成された凹溝であり、ラッチ溝１１１０の側部（図６における上側）上に突条部１１１２を有し、突条部１１１２は、後述するラッチ突起２２３０（図５を参照されたい）と係合させることができる。この実施形態では、ラッチ溝１１１０は、数が２つとして設けられ、嵌合部１１０の両側（図５における上側及び下側）の縁部において、嵌合部１１０の一端寄りに（図５の左端寄りに）位置付けられている。貫通孔１１３０は、嵌合部１１０の位置において、嵌合部１１０の他端寄りに（図５の右端寄りに）設けられた貫通孔である。同様に、嵌合開口部１１２２、１１２４は、嵌合部１１０上の貫通孔である。この実施形態では、嵌合開口部１１２２、１１２４は、円形の第１の嵌合開口部１１２２及び長方形の第２の嵌合開口部１１２４を備えている。嵌合開口部１１２２、１１２４は、それらの形状及び数に限定されるものではなく、特定のニーズに応じて異なる数及び形状で設けることができることが理解されるであろう。第１の嵌合開口部１１２２及び第２の嵌合開口部１１２４は、外部コネクタがそれぞれコネクタ３０、４０に挿入されることを可能にするように、それぞれ第１のコネクタ３０及び第２のコネクタ４０に位置合わせすることができる。
【００２９】
コネクタ受容部１２０及び取付部１３０は、嵌合部１１０の一側面上に一体成形される。コネクタ受容部１２０は、第１のコネクタ３０及び第２のコネクタ４０のコネクタ嵌合部３１０、４１０（後述する）及びコネクタ主要部３２０、４２０（詳細に後述する）を受容するコネクタ取付空間１２１０を取り囲み得る。コネクタ受容部１２０は、ラッチ孔１２３０、連結ブロック１２２０、及び複数の補強リブを備えている。連結ブロック１２２０の位置は、貫通孔１１３０に対応する。図６Ａからはっきり分かるように、連結ブロック１２２０は、傘（又はキノコ）に似た形状を有し、ネック部１２２２及び肥大ヘッド部１２２４を有する。肥大ヘッド部１２２４の外周は、ネック部１２２２の外周より著しく大きい。
【００３０】
この実施形態では、第１のコネクタ３０及び第２のコネクタ４０は、それぞれＡＵＸコネクタ及びＵＳＢコネクタである。しかしながら、第１のコネクタ３０及び第２のコネクタ４０は、ＡＵＸコネクタ、ＵＳＢコネクタ、ＳＤカードコネクタ、及びＨＤＭＩコネクタのうちの１つ又は２つ以上等の、他のコネクタであってもよい。それに加えて、コネクタは、数が２つ（すなわち、第１のコネクタ３０及び第２のコネクタ４０）に限定されなくてもよく、所望により１つ、３つ、又はそれより多い数で設けられてもよい。第１のコネクタ３０及び第２のコネクタ４０は、外部コネクタの挿入のためのコネクタ嵌合部３１０、４１０、その表面上にラッチ３２２、４２２を備えたコネクタ主要部３２０、４２０、並びに第１のコネクタ３０及び第２のコネクタ４０の導電性端子を連結するケーブル３３０、４３０をそれぞれ有する。第１のコネクタ３０及び第２のコネクタ４０は、ラッチ孔１２３０と係合するラッチ３２２、４２２によりコネクタ取付空間１２１０内に固定される。ラッチ３２２、４２２の数は、ラッチ３２２、４２２の数がラッチ孔１２３０の数と同じである限り、任意の数であってよい。この実施形態では、ラッチ３２２、４２２の数は、４つである（すなわち、２つのラッチ３２２、２つのラッチ４２２）。電気コネクタアセンブリ１が組み立てられた状態にあるとき（図２〜３に示すように）、コネクタ嵌合部３１０、４１０は、それぞれ第１の嵌合開口部１１２２及び第２の嵌合開口部１１２４に位置付けることができる。
【００３１】
次いで、図５及び図７を参照すると、保護カバー２０は、外周輪郭が取付フレーム１０の嵌合部１１０の外周輪郭と実質的に同じである長方形の形状を有してもよく、外側カバー２１０及び内側カバー２２０を備えている。外側カバー２１０は、長方形の保護カバー２０の長手方向の一端に設けられ、オペレータの指がその中に挿入されることを可能にするように空洞の一端が外側に開かれている空洞を形成する、凹部２１１０と、内側カバー２２０が外側カバー２１０に係合した後、保護カバー２０全体の内面が同じ面内にあるように内側カバー２２０の外周輪郭と実質的に同じ形状を有する、収容用空洞２１４０と、凹部２１１０及び収容用空洞２１４０を仕切るリブ部２１２０と、を有する。外側カバー２１０の外面（収容用空洞２１４０の反対側の表面）には、保護カバー２０のマークの位置の下にどのコネクタインターフェースが被覆されているのかの情報をオペレータに提供するように、文字、数字、記号、又は模様等のマークが形成されてもよい（図２に示すように）。上記マークは、外側カバー２１０との一体成形、レーザーエッチング、スプレー塗装等の任意の好適な様式で外側カバー２１０上に形成することができる。また、上記マークは、マークが外側カバー２１０内へと凹むか、又は外側カバー２１０から突出するような方法で形成されてもよい。マークは、外側カバー２１０と一体成形されることにより、突出する形態で形成されることが好ましい。外側カバー２１０の外面は、外側カバー２１０が適用される電子デバイスのケースの形状に適合させることができる特定の湾曲を有してもよい。内側カバー２２０は、シート体により形成される内側カバー本体部２２４０と、内側カバー本体部２２４０上に設けられ、凹部２１１０の反対側の保護カバー２０の端部付近に位置付けられた、真っ直ぐな細長いストラップ２２１０であって、ストラップ本体部２２１２及びストラップ本体部２２１２の一方側寄りに設けられた細長いレール溝２２１４を有する、ストラップ２２１０と、内側カバー本体部２２４０上に設けられ、保護カバー２０の長手方向に配置された第１の突出ブロック２２２２及び第２の突出ブロック２２２４と、凹部２１１０が存在する端部と同じ端部である内側カバー本体部２２４０の一端において、同じく内側カバー本体部２２４０上に設けられ、保護カバー２０の両側縁部にそれぞれ位置付けられた、２つのラッチ突起２２３０と、を有する。外側カバー２１０及び内側カバー２２０は、異なる材料から作製される。具体的には、外側カバー２１０は、より硬質な、より高強度の材料（ＰＣ、ＡＢＳ、ＰＢＴ等）から成形することができる。内側カバー２２０は、より軟質な、より高弾性の材料（ＴＰＥ、ゴム等）から成形することができる。外側カバー２１０及び内側カバー２２０は、特定の方法（射出成形、又は接着等）でしっかり互いに係合させることができる。外側カバー２１０は、内側カバー２２０より大きい硬度及び強度を有する。
【００３２】
ストラップ２２１２、第１の突出ブロック２２２２、第２の突出ブロック２２２４、及びラッチ突起２２３０は全て、内側カバー本体部２２４０と一体成形される。図７に示すように、第１の突出ブロック２２２２は、間に空隙がある２つのくさび形半分を備えている。第２の突出ブロック２２２４は、「口」の形態の環状リブとして形成されている。保護カバー２０が取付フレーム１０を被覆するとき、第１の突出ブロック２２２２及び第２の突出ブロック２２２４は、それぞれ第１の嵌合開口部１１２２及び第２の嵌合開口部１１２４に挿入されるか、又はそれぞれ第１のコネクタ３０のコネクタ嵌合部３１０及び第２のコネクタ４０のコネクタ嵌合部４１０内へと延在する。ストラップ２２１０は、取付フレーム１０上の貫通孔１１３０を貫通し、摺動可能に連結されるように連結ブロック１２２０を被包することができる。２つのラッチ突起２２３０は、それぞれ取付フレーム１０の２つのラッチ溝１１１０とラッチ係合させることができる。
【００３３】
以下、電気コネクタアセンブリ１の組み立てプロセスを、図５を参照しながら詳細に説明する。まず、第１のコネクタ３０及び第２のコネクタ４０を、取付フレーム１０の後方から取付フレーム１０のコネクタ取付空間１２１０内に挿入し、取り付ける。第１のコネクタ３０の高さ及び第２のコネクタ４０の高さはそれぞれ、ラッチ３２２、４２２の存在のため、コネクタ受容部１２０により形成されるコネクタ取付空間１２１０の高さよりわずかに大きい。したがって、第１のコネクタ３０及び第２のコネクタ４０の挿入中、コネクタ受容部１２０は、第１のコネクタ３０の圧搾及び第２のコネクタ４０の圧搾のため、わずかな弾性変形を生じることになる。第１のコネクタ３０及び第２のコネクタ４０が適所に取り付けられていると、ラッチ３２２、４２２は、それぞれラッチ孔１２３０内へと延在し、これにより、コネクタ受容部１２０は、コネクタ受容部１２０の初期形状に戻る。このとき、ラッチ孔１２３０がラッチ３２２、４２２をその中に制限するので、第１のコネクタ３０及び第２のコネクタ４０は、コネクタ取付空間１２１０内に固定される（図４に示すように）。
【００３４】
次いで、保護カバー２０のストラップ２２１０が、嵌合部１１０上の貫通孔１１３０を貫通し、連結ブロック１２２０が存在する位置へと延在する。次に、外力の作用の下で、連結ブロック１２２０の肥大ヘッド部１２２４が、ストラップ２２１０のレール溝２２１４を貫通する。保護カバー２０が移動するときストラップ２２１０が連結ブロック１２２０から離れないことを確実にするために、肥大ヘッド部１２２４の幅は、レール溝２２１４の幅より著しく大きい。レール溝２２１４は特定の長さを有するので、ストラップ２２１０は、連結ブロック１２２０に対して上記の長さ以内で摺動することができる。最後に、保護カバー２０は、取付フレーム１０の嵌合部１１０を被覆し、保護カバー２０のラッチ突起２２３０は、それぞれ嵌合部１１０のラッチ溝１１１０に位置合わせされ、保護カバー２０の第１の突出ブロック２２２２及び第２の突出ブロック２２２４は、それぞれ嵌合部１１０の第１の嵌合開口部１１２２及び第２の嵌合開口部１１２４に位置合わせされる。ラッチ溝１１１０の突条部１１１２のラッチ突起２２３０に対する閉塞、並びに第１の突出ブロック２２２２及び第２の突出ブロック２２２４が第１の嵌合開口部１１２２及び第２の嵌合開口部１１２４とそれぞれ係合することにより生じる相対移動抵抗により、取付フレーム１０は、保護カバー２０に対する一定の保持力を有し、これにより、保護カバー２０が取付フレーム１０を被覆するとき、保護カバー２０は、取付フレーム１０から容易には外れない。組み立てられた電気コネクタアセンブリ１は、組み立てられた電気コネクタアセンブリが取付部１３０を介して適用される電子デバイス上に完全に取り付けることができる。
【００３５】
組み立てられた電気コネクタアセンブリ１は、２つの使用位置を有し、保護カバー２０は、開放位置と閉止位置との間を移動する。開放位置は、保護カバー２０が取付フレームを除覆する位置であり、閉止位置は、保護カバー２０が取付フレーム１０を被覆し、取付フレーム１０とラッチ係合する位置である。閉止位置は、上記組み立てプロセスとして説明される（以下、繰り返さない）。保護カバー２０の開放位置については、電気コネクタアセンブリ１のコネクタ嵌合部３１０、４１０が使用される必要がある。閉止位置から開放位置への動作については、オペレータが指の遠位端を凹部２１１０内に入れ、次いで取付フレーム１０から離れる方向に保護カバー２０に力を加える。この力が、取付フレーム１０の保護カバー２０に対する保持力に打ち勝ち、これにより、保護カバー２０は、凹部２１１０から離れた保護カバー２０の一端を支点に取って開放される（又はこじあけられる）。ラッチ突起２２３０、第１の突出ブロック２２２２、及び第２の突出ブロック２２２４が、それぞれラッチ溝１１１０、第１の嵌合開口部１１２２、及び第２の嵌合開口部１１２４から離れると、保護カバー２０は、保護カバー２０の重力又はオペレータの継続的に加える力により、取付フレーム１０から更に離れて、第１のコネクタ３０のコネクタ嵌合部３１０及び第２のコネクタ４０のコネクタ嵌合部４１０を露出させることができる。ストラップ２２１０と連結ブロック１２２０との連結が制限されることにより、保護カバー２０が取付フレーム１０から離れる方向に移動され、連結ブロック１２２０が保護カバー２０から離れたレール溝２２１４の遠位端に接触すると、保護カバー２０の移動は止まる。保護カバー２０が最遠位置に引き出される（すなわち、上記のように、連結ブロック１２２０が保護カバー２０から離れたレール溝２２１４の遠位端に接触する）とき、レール溝２２１４が嵌合部１１０の表面に露出しないようにストラップ２２１０のレール溝２２１４の長さを設定することができることに留意するべきである。したがって、それは、貫通孔１１３０がいかなる場合にも封止された状態にあり、塵又は異物を貫通孔１１３０から電気コネクタアセンブリ１内に入らせないようにすることを確実にし得る。
【００３６】
以下、本開示の電気コネクタアセンブリ１の第２の実施形態について説明する。第２の実施形態は概して第１の実施形態に似ているため、第２の実施形態と第１の実施形態との間の相違点のみを以下で説明する。第２の実施形態では、ストラップ２２１０も、内側カバー２２０上に設けられるが、保護カバー２０の幅方向に端部付近の中央に位置付けられる。２つのラッチ突起２２３０は、ストラップ２２１０の反対側の内側カバー２２０の端部の２つの側部の縁部上に設けられている。凹部２１１０は、ストラップ２２１０の反対側の外側カバー２１０の端部上に設けられている。取付フレーム１０の嵌合部１１０上のラッチ溝１１１０及び貫通孔１１３０並びに連結ブロック１２２０は、ラッチ突起２２３０及びストラップ２２１０にそれぞれ対応する取付フレーム１０上の位置にある。つまり、第２の実施形態では、長方形の保護カバー２０は、第１の実施形態に記載のように保護カバー２０の長手方向に開くのではなく、幅方向に開くことができる。
【００３７】
本開示をいくつかの例示的な実施形態を参照して説明してきたが、当業者に明らかであろう他の多くの修正及び実施形態が本開示の趣旨の範囲内に属することが理解されるべきである。具体的には、開示した内容、図面、及び添付の特許請求の範囲内の基本組み合わせ装置のコンポーネント及び／又はデバイスに対して様々な変更及び修正を行うことができる。コンポーネント及び／又はデバイスに対する変形及び修正に加えて、代替的な使用が当業者には明らかであろう。
【図１】
2018022686.tif 000003
【図２】
2018022686.tif 000004
【図３】
2018022686.tif 000005
【図４】
2018022686.tif 000006
【図５】
2018022686.tif 000007
【図６】
2018022686.tif 000008
【図６Ａ】
2018022686.tif 000009
【図６Ｂ】
2018022686.tif 000010
【図７】
2018022686.tif 000011